【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
無線ローカル・エリア・ネットワーク（WLAN）において動作するよう構成されたネットワーク設備の装置であって、当該装置はメモリおよび処理回路を有し、前記処理回路は：
局（STA）からの近傍者リストの要求にアクセスする段階であって、前記STAは第一のアクセスポイントに関連付けられており、前記第一のアクセスポイントは前記ネットワーク設備と通信する、段階と；
前記ネットワーク設備と通信する諸第二のアクセスポイントの位置および各第二のアクセスポイントに関連付けられる第二のフロア番号と比較した前記第一のアクセスポイントの位置および第一のフロア番号に基づいて近傍者リストを決定する段階であって、前記近傍者リストは前記第二のアクセスポイントのうちの一つまたは複数を含み、前記近傍者リストは、前記複数の第二のアクセスポイントのそれぞれについて、基本サービス・セット識別情報（BSSID）および動作の詳細の指示を含む、段階と；
前記ネットワーク設備に、前記近傍者リストを前記第一のアクセスポイントへ送らせる段階とを実行するよう構成されている、
装置。
【請求項２】
前記近傍者リストがさらに、前記複数の第二のアクセスポイントのそれぞれについてチャネルを含む、請求項１記載の装置。
【請求項３】
前記チャネルがWi-Fiチャネル番号である、請求項２記載の装置。
【請求項４】
前記チャネルが動作帯域幅を有するWi-Fiチャネル番号である、請求項３記載の装置。
【請求項５】
前記近傍者リストが前記STAの直接的な近傍者を含む、請求項１ないし４のうちいずれか一項記載の装置。
【請求項６】
前記近傍者リストは、前記第二のアクセスポイントのうちの前記一つまたは複数のアクセスポイントのそれぞれについて、前記第二のアクセスポイントのうちの対応するものの位置に対応する地理的座標を含む、請求項１ないし４のうちいずれか一項記載の装置。
【請求項７】
前記近傍者リストは、前記第二のアクセスポイントのうちの前記一つまたは複数のアクセスポイントのそれぞれについて、対応する第二のアクセスポイントの機能を含む、請求項１ないし４のうちいずれか一項記載の装置。
【請求項８】
前記第一のアクセスポイントおよび前記第二のアクセスポイントが同じ基本サービス・セット（BSS）の一部である、請求項１ないし４のうちいずれか一項記載の装置。
【請求項９】
前記処理回路が：
前記第一のアクセスポイントを介して前記STAに前記近傍者リストを送るよう前記ネットワーク設備を構成するよう構成されている、
請求項１ないし４のうちいずれか一項記載の装置。
【請求項１０】
前記処理回路が：
前記第一のアクセスポイントへの電波強度信号指標（RSSI）に基づいて前記第二のアクセスポイントの位置を決定するよう構成されている、
請求項１ないし４のうちいずれか一項記載の装置。
【請求項１１】
前記処理回路に結合されたトランシーバ回路をさらに有する、請求項１ないし４のうちいずれか一項記載の装置。
【請求項１２】
前記トランシーバ回路に結合された一つまたは複数のアンテナを有する、請求項１１記載の装置。
【請求項１３】
ネットワーク設備に：
局（STA）からの近傍者リストの要求にアクセスする段階であって、前記STAは第一のアクセスポイントに関連付けられており、前記第一のアクセスポイントは前記ネットワーク設備と通信する、段階と；
前記ネットワーク設備と通信する諸第二のアクセスポイントの位置および各第二のアクセスポイントに関連付けられる第二のフロア番号と比較した第一のアクセスポイントの位置および第一のフロア番号に基づいて近傍者リストを決定する段階であって、前記近傍者リストは前記第二のアクセスポイントのうちの一つまたは複数を含み、前記近傍者リストは、前記複数の第二のアクセスポイントのそれぞれについて、基本サービス・セット識別情報（BSSID）および動作の詳細の指示を含む、段階と；
前記近傍者リストを前記第一のアクセスポイントへ送らせる段階とを実行させるよう一つまたは複数のプロセッサを構成するためのコンピュータ・プログラム。
【請求項１４】
前記近傍者リストがさらに、前記複数の第二のアクセスポイントのそれぞれについてチャネルを含む、請求項１３記載のコンピュータ・プログラム。
【請求項１５】
前記近傍者リストが前記STAの直接的な近傍者を含む、請求項１３または１４記載のコンピュータ・プログラム。
【請求項１６】
前記近傍者リストは、前記第二のアクセスポイントのうちの前記一つまたは複数のアクセスポイントのそれぞれについて、前記第二のアクセスポイントのうちの対応するものの位置に対応する地理的座標を含む、請求項１５記載のコンピュータ・プログラム。
【請求項１７】
前記近傍者リストは、前記第二のアクセスポイントのうちの前記一つまたは複数のアクセスポイントのそれぞれについて、対応する第二のアクセスポイントの機能を含む、請求項１５記載のコンピュータ・プログラム。
【請求項１８】
前記ネットワーク設備に：
前記近傍者リストを、前記STAへの前記第二のアクセスポイントの推定される近さに基づいて決定させるよう前記一つまたは複数のプロセッサを構成するための命令をさらに含む、請求項１３または１４記載のコンピュータ・プログラム。
【請求項１９】
局によって実行される方法であって：
局（STA）からの近傍者リストの要求にアクセスする段階であって、前記STAは第一のアクセスポイントに関連付けられており、前記第一のアクセスポイントはネットワーク設備と通信する、段階と；
前記ネットワーク設備と通信する諸第二のアクセスポイントの位置および各第二のアクセスポイントに関連付けられる第二のフロア番号と比較した前記第一のアクセスポイントの位置および第一のフロア番号に基づいて近傍者リストを決定する段階であって、前記近傍者リストは前記第二のアクセスポイントのうちの一つまたは複数を含み、前記近傍者リストは、前記複数の第二のアクセスポイントのうちのそれぞれについて、基本サービス・セット識別情報（BSSID）および動作の詳細の指示を含む、段階と；
前記ネットワーク設備に、前記近傍者リストを前記第一のアクセスポイントに送らせる段階とを含む、
方法。
【請求項２０】
前記近傍者リストがさらに、前記複数の第二のアクセスポイントのそれぞれについてチャネルを含む、請求項１９記載の方法。
【請求項２１】
前記STAおよび／または前記第一のアクセスポイントから受領される電波強度信号指標（RSSI）に基づいて前記第二のアクセスポイントの位置を決定する段階をさらに含む、
請求項１９または２０記載の方法。
【請求項２２】
第一のアクセスポイントの装置であって、当該装置はメモリおよび処理回路を有し、前記処理回路は：
局（STA）からの近傍者リストの第一の要求にアクセスする段階であって、前記STAは前記第一のアクセスポイントに関連付けられており、前記第一のアクセスポイントはネットワーク設備と通信する、段階と；
前記STAからの前記第一の要求を含む第二の要求をエンコードする段階と；
前記第一のアクセスポイントに前記第二の要求を前記ネットワーク設備に送らせる段階と；
前記第二の要求を送ることに応答して、前記ネットワーク設備からの近傍者リストにアクセスする段階であって、前記近傍者リストは、前記ネットワーク設備と通信する諸第二のアクセスポイントの位置および各第二のアクセスポイントに関連付けられる第二のフロア番号と比較した前記第一のアクセスポイントの位置および第一のフロア番号に基づいており、前記近傍者リストは前記第二のアクセスポイントのうちの一つまたは複数を含み、前記近傍者リストは、前記複数の第二のアクセスポイントのそれぞれについて、基本サービス・セット識別情報（BSSID）および動作の詳細の指示を含む、段階と；
前記近傍者リストを含む第三の応答をエンコードする段階と；
前記第一のアクセスポイントに前記近傍者リストを前記STAに送らせる段階とを実行するよう構成されている、
装置。
【請求項２３】
前記近傍者リストが前記STAの直接的な近傍者を含む、請求項２２記載の装置。
【請求項２４】
前記近傍者リストがさらに、前記複数の第二のアクセスポイントのそれぞれについてチャネルを含む、請求項２２または２３記載の装置。
【請求項２５】
前記処理回路に結合されたトランシーバ回路をさらに有する、請求項２２記載の装置。
【請求項２６】
請求項１３ないし１８のうちいずれか一項記載のコンピュータ・プログラムを記録しているコンピュータ可読記録媒体。